(57)【要約】【課題】磁性体を吸着しつつ、容易にメンテナンスをすることができる。【解決手段】フィルタケースの内部には、フィルタエレメント及び磁石組立体がそれぞれ取り外し可能に設けられている。磁石組立体において、外筒部に対して液密かつ着脱可能に設けられた蓋部には、下方に突出するように略棒状の磁石が一体に設けられ、磁石は略筒状の外筒部の内部に挿入されており、外筒部の下端近傍には外筒部と磁石との間に液体が流入しないようにする封止部が設けられる。【選択図】  図２
2019126754.tif 000002
【特許請求の範囲】
【請求項１】
有底略円筒形状のケースと、前記ケースの上側の開口端に連結されたヘッドと、を有するフィルタケースと、
略円筒形状の濾材と、前記濾材の内側に設けられた略円筒形状の内筒と、前記濾材の下端を覆う下プレートと、前記濾材の上端を覆うプレートと、を有し、前記フィルタケースの内部に設けられたフィルタエレメントと、
前記フィルタケースの内部に設けられた磁石組立体と、
を備え、
前記ヘッドを前記フィルタケースから取り外した状態で、前記フィルタエレメント及び前記磁石組立体は、それぞれ、前記フィルタケースから取り外し可能であり、
前記磁石組立体は、略筒状の外筒部と、前記外筒部の上端を覆う蓋部と、前記蓋部から下方に突出するように前記蓋部に一体に設けられた略棒状の磁石と、を有し、
前記磁石は、前記外筒部の内部に挿入され、
前記蓋部は、前記外筒部に対して、液密かつ着脱可能に設けられ、
前記外筒部の下端近傍には、前記外筒部と前記磁石との間に液体が流入しないようにする封止部が設けられた
ことを特徴とするフィルタ装置。
【請求項２】
請求項１に記載のフィルタ装置であって、
前記フィルタケースは、液体を前記フィルタケースの内部空間のうちの前記フィルタエレメントの外側の空間に流入させる流入部と、前記フィルタエレメントを通過した液体を前記フィルタケースの外部へ流出させる流出部と、を有し、
前記磁石組立体は、前記フィルタエレメントと前記フィルタケースとの間に設けられたことを特徴とするフィルタ装置。
【請求項３】
請求項２に記載のフィルタ装置であって、
前記フィルタケースの内部、かつ前記フィルタエレメントの外側に設けられた略筒状の筒状体と、前記磁石組立体と、を有する筒状部を有し、
前記外筒部は、前記筒状体に一体形成され、
前記筒状体には、前記外筒部に隣接して、前記筒状体の側面を貫通する孔が形成されたことを特徴とするフィルタ装置。
【請求項４】
請求項３に記載のフィルタ装置であって、
前記筒状体及び前記磁石組立体の高さは、前記フィルタエレメントの高さと略同一であり、
前記磁石組立体は、前記フィルタケース及び前記フィルタエレメントの中心軸と略平行に設けられたことを特徴とするフィルタ装置。
【請求項５】
請求項２から４のいずれか一項に記載のフィルタ装置であって、
前記磁石組立体を複数備え、
前記磁石組立体は、平面視において均等に配置されることを特徴とするフィルタ装置。
【請求項６】
請求項１から５のいずれか一項に記載のフィルタ装置であって、
前記外筒部は、前記封止部である下端面が一体形成された有底略筒形状の部材であることを特徴とするフィルタ装置。
【請求項７】
請求項１から６のいずれか一項に記載のフィルタ装置であって、
前記外筒部の上端近傍には、略板状の板状部が設けられることを特徴とするフィルタ装置。
【発明の詳細な説明】
【技術分野】
【０００１】
本発明は、フィルタ装置に関する。
【背景技術】
【０００２】
特許文献１には、中央に設けられた永久磁石からなる永久磁石部と、その両端に設けられたステンレスからなるステンレス部とからなる吸塵材がハウジングの内部に設けられ、ハウジング内に導入された液体に含まれる磁性体ゴミ（鉄粉など）を永久磁石部で吸着する濾過装置が開示されている。
【先行技術文献】
【特許文献】
【０００３】
【特許文献１】特開平１１−９０１２４号公報
【発明の概要】
【発明が解決しようとする課題】
【０００４】
しかしながら、特許文献１に記載の発明では、磁石が露出しており、磁石に磁性体ゴミが直接付着してしまうため、磁石から磁性体ゴミを除去するのに手間がかかり、メンテナンスが容易ではないという問題がある。
【０００５】
本発明はこのような事情に鑑みてなされたもので、磁性体を吸着しつつ、容易にメンテナンスをすることができる濾過装置を提供することを目的とする。
【課題を解決するための手段】
【０００６】
上記課題を解決するために、本発明に係るフィルタ装置は、例えば、有底略円筒形状のケースと、前記ケースの上側の開口端に連結されたヘッドと、を有するフィルタケースと、略円筒形状の濾材と、前記濾材の内側に設けられた略円筒形状の内筒と、前記濾材の下端を覆う下プレートと、前記濾材の上端を覆うプレートと、を有し、前記フィルタケースの内部に設けられたフィルタエレメントと、前記フィルタケースの内部に設けられた磁石組立体と、を備え、前記ヘッドを前記フィルタケースから取り外した状態で、前記フィルタエレメント及び前記磁石組立体は、それぞれ、前記フィルタケースから取り外し可能であり、前記磁石組立体は、略筒状の外筒部と、前記外筒部の上端を覆う蓋部と、前記蓋部から下方に突出するように前記蓋部に一体に設けられた略棒状の磁石と、を有し、前記磁石は、前記外筒部の内部に挿入され、前記蓋部は、前記外筒部に対して、液密かつ着脱可能に設けられ、前記外筒部の下端近傍には、前記外筒部と前記磁石との間に液体が流入しないようにする封止部が設けられたことを特徴とする。
【０００７】
本発明に係るフィルタ装置によれば、フィルタケースの内部には、フィルタエレメント及び磁石組立体がそれぞれ取り外し可能に設けられている。磁石組立体において、外筒部に対して液密かつ着脱可能に設けられた蓋部には、下方に突出するように略棒状の磁石が一体に設けられ、磁石は略筒状の外筒部の内部に挿入されており、外筒部の下端近傍には外筒部と磁石との間に液体が流入しないようにする封止部が設けられる。蓋部及び磁石が外筒部に対して着脱可能であり、蓋部が外筒部に対して液密に設けられ、外筒部の下端近傍に封止部が設けられるため、ろ過対象の液体は外筒部及び蓋部と磁石との間の空間に流入せず、かつろ過対象の液体に含まれる磁性体の塵埃が外筒部の外側に付着する。そして、蓋部を外筒部から外すと、蓋部と共に磁石が外れ、磁性体が外筒部から落下する。これにより、磁性体を吸着しつつ、容易にメンテナンスをすることができる。
【０００８】
ここで、前記フィルタケースは、液体を前記フィルタケースの内部空間のうちの前記フィルタエレメントの外側の空間に流入させる流入部と、前記フィルタエレメントを通過した液体を前記フィルタケースの外部へ流出させる流出部と、を有し、前記磁石組立体は、前記フィルタエレメントと前記フィルタケースとの間に設けられてもよい。これにより、濾材に付着する塵埃を減らし、濾材の交換頻度を下げることができる。
【０００９】
ここで、前記フィルタケースの内部、かつ前記フィルタエレメントの外側に設けられた略筒状の筒状体と、前記磁石組立体と、を有する筒状部を有し、前記外筒部は、前記筒状体に一体形成され、前記筒状体には、前記外筒部に隣接して、前記筒状体の側面を貫通する孔が形成されてもよい。これにより、濾過対象の液体が磁石組立体の傍を通過し、液体に含まれる磁性体を外筒部に付着させることができる。
【００１０】
ここで、前記筒状体及び前記磁石組立体の高さは、前記フィルタエレメントの高さと略同一であり、前記磁石組立体は、前記フィルタケース及び前記フィルタエレメントの中心軸と略平行に設けられてもよい。これにより、より多くの液体を磁石組立体に触れさせることができる。また、磁石組立体と液体との接触面積が増え、磁石組立体３５に磁性体が吸着しやすくなる。
【００１１】
ここで、前記磁石組立体を複数備え、前記磁石組立体は、平面視において均等に配置されてもよい。これにより、より多くの液体が磁石組立体の傍を通過するようにし、より多くの磁性体を捉えることができる。
【００１２】
ここで、前記外筒部は、前記封止部である下端面が一体形成された有底略筒形状の部材であってもよい。これにより、簡単な構成で、ろ過対象の液体が磁石と接しないようにすることができる。
【００１３】
ここで、前記外筒部の上端近傍には、略板状の板状部が設けられてもよい。これにより、磁石を引き抜くときに磁石と共に上方に移動した磁性体を、板状部で跳ね返し、下方に落下させることができる。したがって、外筒部から磁性体を容易に除去することができる。
【発明の効果】
【００１４】
本発明によれば、磁性体を吸着しつつ、容易にメンテナンスをすることができる。
【図面の簡単な説明】
【００１５】
【図１】本発明の一実施形態であるフィルタ装置１の概略を示す斜視図である。
【図２】フィルタ装置１の概略を示す斜視図であって、一部を断面表示した図である。
【図３】ヘッド１２を外した状態におけるフィルタ装置１の平面図である。
【図４】筒状部３０の断面斜視図である。
【図５】磁石組立体３５の概略図である。
【図６】ヘッド１２を外した状態におけるフィルタ装置１の要部透視図である。
【図７】ヘッド１２を外した状態におけるフィルタ装置１の要部透視図である。
【図８】図７に示す状態から筒状部３０を上方に引き抜いた状態を示す図である。
【図９】筒状部３０から磁性体を除去する様子を説明する図である。
【図１０】磁石組立体３５の上端近傍を拡大表示した図である。
【図１１】変形例にかかる磁石組立体３５Ａの概略を示す図である。
【図１２】変形例にかかる磁石組立体３５Ｂの概略を示す図である。
【発明を実施するための形態】
【００１６】
以下、本発明の実施形態を、図面を参照して詳細に説明する。本発明の濾過装置は、例えば、建設機械に用いられる油圧オイルフィルタやミッションオイルフィルタであるが、特に歯車の損傷等により発生する磁性体の塵埃を除去する濾過装置に好適である。
【００１７】
図１は、本発明の第１の実施形態であるフィルタ装置１の概略を示す斜視図である。フィルタ装置１は、主として、フィルタケース１０と、フィルタエレメント２０（図２等参照）と、筒状部３０（図２参照）インジケータ４０と、を有する。フィルタエレメント２０及び筒状部３０は、フィルタケース１０の内部に設けられる。
【００１８】
フィルタケース１０は、主として、ケース１１と、ヘッド１２と、を有する。ケース１１は、一端が略閉塞され、他端が開口する略有底円筒形状の部材であり、金属又は樹脂により形成される。ヘッド１２は、金属又は樹脂により形成され、ケース１１の上側の開口端に連結される。ヘッド１２の開口端の近傍及びケース１１の開口端の近傍には、それぞれ図示しない雌ねじ部及び雄ねじ部が形成される。雄ねじ部を雌ねじ部に螺合させることで、ヘッド１２がケース１１に取り付けられ、フィルタエレメント２０及び筒状部３０が挿入される空間がフィルタケース１０の内部に形成される。
【００１９】
ヘッド１２をケース１１から取り外した状態で、フィルタエレメント２０及び筒状部３０は、それぞれ、フィルタケース１０から取り外し可能である。
【００２０】
ヘッド１２には、液体（例えば、油）をフィルタ装置１内部に流入させる流入部１２ａ及び液体をフィルタ装置１外部に流出させる流出部１２ｂが形成される。
【００２１】
流入部１２ａは、フィルタケース１０の内部空間のうちのフィルタエレメント２０の外側の空間Ｓ１（図２参照）と、フィルタケース１０の外部空間とを連通し、液体を空間Ｓ１に流入させる。流出部１２ｂは、フィルタエレメント２０の内部の空間Ｓ２と、フィルタケース１０の外部空間とを連通し、フィルタエレメント２０を通過した液体をフィルタケース１０の外部へ流出させる。なお、本実施の形態では、流入部１２ａ及び流出部１２ｂはヘッド１２に形成されるが、流入部１２ａ及び流出部１２ｂはケース１１に形成されていてもよい。
【００２２】
ヘッド１２内部の、流入部１２ａと流出部１２ｂとの間の壁面には、バルブ（図示省略）が設けられる。バルブは、空間Ｓ１及び空間Ｓ２の圧力差に応じて開閉する。
【００２３】
またヘッド１２には、インジケータ４０（図１参照）が設けられる。インジケータ４０は、内部に設けられたリードスイッチ（図示せず）を用いてフィルタケース１０内部の圧力差を測定する。インジケータ４０は公知の技術を用いることができるため、詳細な説明を省略する。インジケータ４０の測定結果は、例えばランプ（図示せず）の点灯・消灯によって表示する。
【００２４】
図２は、フィルタ装置１の概略を示す斜視図であって、一部を断面表示した図である（ただし、断面を示すハッチングを一部省略している）。図２では、ヘッド１２の図示を省略する。図３は、ヘッド１２を外した状態におけるフィルタ装置１の平面図である。
【００２５】
ケース１１は、有底略円筒形状であり、上側（＋ｚ側）の開口端１１ａは、ヘッド１２に連結される。開口端１１ａの近傍には、Ｏリング等のシール部材（図示省略）が挿入される溝１１ｂが形成される。溝１１ｂに挿入されたシール部材は、ケース１１とヘッド１２とに当接する。このシール部材により、ケース１１とヘッド１２との間から液体が外部に漏れないようにシールされる。
【００２６】
フィルタエレメント２０は、主として、内筒２１と、濾材２２と、プレート２４、２５と、を有する。フィルタエレメント２０は、フィルタケース１０の内部に設けられる。
【００２７】
内筒２１は、耐腐食性の高い材料（本実施の形態では、樹脂）を用いて形成された略中空円筒形状の部材である。本実施の形態では、内筒２１の底面が覆われているが、内筒２１の底面は覆われていなくてもよい。内筒２１は、ケースの底面１１ｃに当接する。内筒２１の全面には、作動油が通過する孔２１ｂが多数形成される。内筒２１は、ケース１１の底面１１ｃに当接する。
【００２８】
濾材２２は、合成樹脂や紙等を用いたシート状の濾紙をひだ折りにし、ひだ折りにした濾紙の両端を連結して円筒状に丸めることによって形成された略円筒形状の部材である。濾材２２は、内筒２１の外側に設けられる。
【００２９】
内筒２１、濾材２２及び外筒２３の一方の端（下端）にはプレート２４が設けられ、他方の端（上端）にはプレート２５が設けられる。プレート２４及びプレート２５は、耐腐食性の高い材料（本実施の形態では、樹脂）を用いて形成される。
【００３０】
プレート２４は、略中空円板形状の板状部２４ａを有し、板状部２４ａの上側（＋ｚ側）には濾材２２が設けられる。プレート２４は、濾材２２の下端を覆う断面略コの字形状の部分（板状部２４ａを含む）を有し、濾材２２とプレート２４とは接着剤等により一体化される。プレート２４の内周面は、内筒２１の外周面に当接する。プレート２４と内筒２１との間には、液体が漏れないようにするシール部材４１が設けられる。
【００３１】
プレート２５は、略中空円板形状の板状部２５ａを有し、板状部２５ａの下側（−ｚ側）には内筒２１及び濾材２２が設けられる。プレート２５は、濾材２２の上端を覆う断面略コの字形状の部分（板状部２５ａを含む）を有し、濾材２２とプレート２５とは接着剤等により一体化される。
【００３２】
プレート２５の略中央には、筒状部２５ｂが形成され、筒状部２５ｂには、ヘッド１２に形成された略円筒形状の嵌合筒（図示省略）が挿入される。プレート２５と嵌合筒との間には、液体が漏れないようにするシール部材４２が設けられる。
【００３３】
筒状部３０は、フィルタエレメント２０とケース１１との間に設けられる。図４は、筒状部３０の断面斜視図である（ただし、断面を示すハッチングを一部省略している）。筒状部３０は、主として、フィルタケース１０（ここでは、ケース１１）の内部、かつフィルタエレメント２０の外側に設けられた略筒状の筒状体３１と、磁石組立体３５と、を有する。
【００３４】
筒状体３１は、略円筒形状の部材であり、フィルタエレメント２０の高さと略同一である。筒状体３１の内周面にはシール部材４３が設けられる。
【００３５】
磁石組立体３５は、複数設けられる。本実施の形態では、磁石組立体３５は６個（図３参照）設けられるが、磁石組立体３５の数はこれに限られない。磁石組立体３５は、平面視において均等に配置される（図３参照）。
【００３６】
図５は、磁石組立体３５の概略図である。磁石組立体３５は、主として、略筒状の外筒部３６と、外筒部３６の上端を覆う蓋部３７と、磁石３８と、を有する。蓋部３７は、外筒部３６に対して、液密かつ着脱可能に設けられる。外筒部３６及び蓋部３７は、非磁性体、例えば樹脂で形成される。
【００３７】
磁石３８は、略棒状であり、外筒部３６の内部に挿入される。磁石３８は、複数の永久磁石と磁性体からなるヨークとが交互に複数個配置され、隣り合う永久磁石は相互に同極が対向し反発し合うように設けられる（図９参照）。これにより、強い吸引力を有する磁石３８とすることができる。ただし、磁石３８の形態はこれに限られず、周方向に沿って複数の４個以上の極を設けるようにしてもよい。また、磁石３８として、電磁石等の永久磁石以外の磁石を用いてもよい。
【００３８】
磁石３８の上端側は、蓋部３７に一体に設けられており、磁石３８は蓋部３７から下方に突出する。蓋部３７を外筒部３６から取り外すと、蓋部３７と共に磁石３８が外筒部３６から取り外される。
【００３９】
外筒部３６の上端近傍には、略板状（ここでは、略円板形状）の板状部３６ｃが設けられている。蓋部３７が外筒部３６に設けられると、板状部３６ｃと蓋部３７の下端に設けられた板状部３７ａとが当接する。
【００４０】
外筒部３６の下端近傍には、外筒部３６と磁石３８との間に液体が流入しないようにする封止部が設けられている。本実施の形態では、外筒部３６は、略筒状の側面３６ａに下端面３６ｂが一体形成された有底略筒形状の部材であり、下端面３６ｂが封止部に相当する。
【００４１】
図４の説明に戻る。外筒部３６は、筒状体３１に一体形成される。筒状体３１には、外筒部３６に隣接して、筒状体３１の側面を貫通する孔３１ａが形成される。ただし、孔３１ａの形状及び数はこれに限られず、外筒部３６に隣接して孔が形成されていればよい。例えば、外筒部３６に隣接した領域に複数のパンチング孔が形成されていてもよい。
【００４２】
筒状体３１は、側面がフィルタエレメント２０と略平行となるように設けられる。その結果、磁石組立体３５は、フィルタエレメント２０とケース１１との間に、ケース１１及びフィルタエレメント２０の中心軸と略平行に設けられる。
【００４３】
図２の説明に戻る。筒状体３１（外筒部３６を含む）の高さはフィルタエレメント２０の高さと略同一であり、筒状体３１及び外筒部３６の下端は底面１１ｃに隣接する。底面１１ｃには、筒状体３１の内周面と当接するリブ１１ｄが形成されている。
【００４４】
次に、このように構成されたフィルタ装置１の作用について図６から８を用いて説明する。図６の矢印は、フィルタ装置１内部の作動油の流れを示す。
【００４５】
濾過すべき液体Ｌ１は、流入部１２ａ（図２では図示省略）を通って空間Ｓ１に流入する。空間Ｓ１に流入した液体Ｌ１は、孔３１ａを通って筒状体３１とフィルタエレメント２０との間の空間に流入する。
【００４６】
孔３１ａが外筒部３６に隣接して設けられているため、液体Ｌ１は磁石組立体３５の傍を通過する。これにより、図７に示すように、液体Ｌ１に含まれる磁性体の塵埃（以下、磁性体Ｄという）が外筒部３６に付着する。
【００４７】
本実施の形態では、複数の磁石組立体３５を均等に設けるため、より多くの液体Ｌ１が磁石組立体３５の傍を通過するようにし、より多くの磁性体Ｄを捉えることができる。また、磁石組立体３５を棒状とし、ケース１１及びフィルタエレメント２０の中心軸と略平行に設けることで、磁石組立体３５と液体Ｌ１との接触面積が増え、磁石組立体３５に磁性体Ｄが吸着しやすくなる。また、磁石組立体３５の高さをフィルタエレメント２０の高さと略同一とすることで、磁石組立体３５と液体Ｌ１との接触面積が増え、磁石組立体３５に磁性体Ｄが吸着しやすくなる。
【００４８】
その後、図６に示すように、液体Ｌ１は、濾材２２、内筒２１を順番に通過して、内筒２１の内部空間（空間Ｓ２）へ流出する。このとき、液体Ｌ１は濾材２２で濾過される。空間Ｓ２へ流出した濾過された液体Ｌ２は、流出部１２ｂ（図２では図示省略）を通ってフィルタ装置１の外部へ排出される。
【００４９】
フィルタ装置１の使用を継続すると、濾材２２に塵埃が付着する。本実施の形態では、フィルタエレメント２０とケース１１との間に磁石組立体３５を設けることで、濾材２２に付着する塵埃を減らし、濾材２２の交換頻度を下げることができる。
【００５０】
フィルタエレメント２０を交換するには、雌ねじ部と雄ねじとの螺合を外してケース１１とヘッド１２とを分離する。雌ねじ部と雄ねじ部とを分離したら、まず図８に示すように、筒状部３０をケース１１から引き抜く。筒状部３０には磁石３８が含まれているため、磁性体Ｄは筒状部３０と共にケース１１の外に引き出される。
【００５１】
図９は、筒状部３０から磁性体Ｄを除去する様子を説明する図である。蓋部３７を外筒部３６（筒状体３１）から取り外し、上方（図９矢印参照）へ引き抜くと、蓋部３７と共に磁石３８も上方へ移動する。磁石３８が上方へ移動した分だけ、外筒部３６の下側には磁石３８が存在しない領域が発生する。その結果、外筒部３６の磁石３８が存在しない部分においては、磁性体Ｄが外筒部３６から離れ、下方に落下する。
【００５２】
図１０は、磁石組立体３５の上端近傍を拡大表示した図である。外筒部３６の上端近傍に板状部３６ｃが設けられているため、磁石３８と共に上方に移動した磁性体Ｄは、板状部３６ｃに跳ね返されて下方に落下する。このように、筒状部３０から磁性体Ｄを容易に除去することができる。
【００５３】
筒状部３０がケース１１から取り外されたら、ケース１１からフィルタエレメント２０をケース１１から取り外す。その後、新しいフィルタエレメント２０をケース１１の内部に挿入し、磁性体Ｄを除去した筒状部３０をケース１１に挿入する。
【００５４】
本実施の形態によれば、ろ過対象の液体は外筒部３６及び蓋部３７と、磁石３８との間の空間に流入せず、ろ過対象の液体に含まれる磁性体の塵埃が外筒部３６の外側に付着するため、磁石３８に磁性体が直接付着しない。また、外筒部３６の内部に磁石３８が着脱可能に設けられているため、磁石３８を抜くことで外筒部３６に付着した磁性体の塵埃を外筒部３６から容易に除去することができる。したがって、磁性体を吸着しつつ、容易にメンテナンスをすることができる。
【００５５】
なお、本実施の形態では、フィルタエレメント２０とケース１１との間に磁石組立体３５を設けたが、磁石組立体３５を設ける位置はこれに限られない。磁石組立体３５はフィルタケース１０の内部に設けられていればよく、例えば磁石組立体３５が空間Ｓ２に設けられていてもよい。ただし、濾材２２に付着する塵埃を減らし、濾材２２の交換頻度を下げるためには、フィルタエレメント２０とケース１１との間に磁石組立体３５を設けることが望ましい。また、本実施の形態では、磁石組立体３５が筒状部３１に設けられるが、筒状部３１は必須ではなく、磁石組立体３５は単独でフィルタケース１０の内部に設けられていてもよい。
【００５６】
また、本実施の形態では、磁石組立体３５の高さとフィルタエレメント２０の高さとが略同一であるが、磁石組立体３５の高さはフィルタエレメント２０の高さより低くてもよい。ただし、より多くの液体Ｌ１を磁石組立体３５に触れさせるためには、磁石組立体３５の高さとフィルタエレメント２０の高さとが略同一とすることが望ましい。そして、磁石組立体３５の高さとフィルタエレメント２０の高さとが略同一の場合には、磁石組立体３５を、フィルタケース１０及びフィルタエレメント２０の中心軸と略平行に設けることが望ましい。
【００５７】
また、本実施の形態では、磁石３８と共に上方に移動した磁性体を跳ね返して下方に落下させる板状部３６ｃが外筒部３６の上端近傍に設けられているが、板状部３６ｃの形態はこれに限られない。図１１は、変形例にかかる磁石組立体３５Ａの概略を示す図である。磁石組立体３５Ａは、略板状の板状部３６ｄが上端近傍に形成された外筒部３６Ａを有する。板状部３６ｄは、下側の面が、上側に凸となる曲面となっている。これにより、板状部３６ｄに当接した磁性体がより滑らかに下方に移動する。
【００５８】
また、本実施の形態では、外筒部３６は有底略筒形状であり、封止部である下端面３６ｂを有したが、封止部の形態はこれに限られない。図１２は、変形例にかかる磁石組立体３５Ｂの概略を示す図である。磁石組立体３５Ｂは、略筒形状の外筒部３６Ｂを有する。外筒部３６の下端近傍には、外筒部３６Ｂと磁石３８との間に液体が流入しないようにする封止部としてガスケット３９が設けられ、ガスケット３９に磁石３８の下端が圧入される。また図示しないが、略筒状の側面３６ａの下端に凸部を一体形成し、凸部に磁石３８を圧入することで、凸部を封止部としてもよい。
【００５９】
以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。また、実施形態の構成の一部を他の実施形態の構成に置き換えることが可能であり、また、実施形態の構成に他の構成の追加、削除、置換等をすることが可能である。
【００６０】
また、本発明において、「略」とは、厳密に同一である場合のみでなく、同一性を失わない程度の誤差や変形を含む概念である。例えば、「略円筒形状」とは、厳密に円筒形状の場合には限られない。また、例えば、単に略中央等と表現する場合において、厳密に中央等の場合のみでなく、略中央等の場合を含むものとする。
【符号の説明】
【００６１】
１      ：フィルタ装置
１０    ：フィルタケース
１１    ：ケース
１１ａ  ：開口端
１１ｂ  ：溝
１１ｃ  ：底面
１１ｄ  ：リブ
１２    ：ヘッド
１２ａ  ：流入部
１２ｂ  ：流出部
２０    ：フィルタエレメント
２１    ：内筒
２１ｂ  ：孔
２２    ：濾材
２３    ：外筒
２４、２５：プレート
２４ａ、２５ａ：板状部
２５ｂ  ：筒状部
３０    ：筒状部
３１    ：筒状体
３１ａ  ：孔
３５、３５Ａ、３５Ｂ：磁石組立体
３６、３６Ａ、３６Ｂ：外筒部
３６ａ  ：側面
３６ｂ  ：下端面
３６ｃ、３６ｄ：板状部
３７    ：蓋部
３７ａ  ：板状部
３８    ：磁石
３９    ：ガスケット
４０    ：インジケータ
４１、４２、４３：シール部材
【図１】
2019126754.tif 000003
【図２】
2019126754.tif 000004
【図３】
2019126754.tif 000005
【図４】
2019126754.tif 000006
【図５】
2019126754.tif 000007
【図６】
2019126754.tif 000008
【図７】
2019126754.tif 000009
【図８】
2019126754.tif 000010
【図９】
2019126754.tif 000011
【図１０】
2019126754.tif 000012
【図１１】
2019126754.tif 000013
【図１２】
2019126754.tif 000014